(57)【要約】【課題】本発明は、表示情報の視認性の向上と操作性の向上を図った表示デバイスおよび拡大表示方法を提供することを課題とする。【解決手段】リモートコントローラ１０から拡大表示のボタン操作に伴う指示があると、ＥＣ／ＫＢＣ６３からＣＰＵ部３１に、拡大指示コマンドが送出される。ＣＰＵ部３１はこの拡大指示コマンドを受けると、コンテンツ管理テーブル（ＴＢＬ）を参照して拡大表示処理を実行する。【選択図】    図２
2004233874.tif 000002
【特許請求の範囲】
【請求項１】
操作器により遠隔操作可能な画像出力手段と、
前記画像出力手段により表示出力された画像に含まれる所定の表示情報を前記操作器との間の距離に応じ拡大処理して表示出力する制御手段と
を具備したことを特徴とする表示装置。
【請求項２】
前記制御手段は、前記操作器から所定の操作信号を受けた際に、前記操作器との間の距離を計測する操作距離計測手段を具備し、前記操作距離計測手段で計測した距離に応じ、前記表示制御する画像に含まれる所定の表示情報を拡大処理して表示出力制御する請求項１記載の表示装置。
【請求項３】
前記制御手段は、前記操作器から所定の操作信号を受けた際に、前記操作器若しくは前記操作器を操作する操作者との間の距離が設定距離を超えたことを判定する操作距離判定手段を具備し、前記操作距離判定手段の判定出力をもとに、前記表示制御する画像に含まれる所定の表示情報を拡大処理して表示出力制御する請求項１記載の表示装置。
【請求項４】
前記制御手段は、前記表示制御する画像について、前記画像に付随する制御情報をもとに前記画像に含まれる情報を拡大処理して表示出力制御する表示制御手段を具備する請求項１記載の表示装置。
【請求項５】
前記制御手段は、前記表示制御する画像について、デスクトップサイズを変更し、前記画像の表示情報すべてを拡大処理して表示出力制御する表示制御手段を具備する請求項１記載の表示装置。
【請求項６】
前記制御手段は、前記表示制御する画像について、当該画像に含まれる文字情報を拡大処理して表示出力制御する表示制御手段を具備する請求項１記載の表示装置。
【請求項７】
前記制御手段は、前記表示制御する画像について、当該画像に含まれる字幕情報を拡大処理して表示出力制御する表示制御手段を具備する請求項１記載の表示装置。
【請求項８】
前記制御手段は、前記表示制御する画像について、当該画像に含まれる操作アイコンを拡大処理して表示出力制御する表示制御手段を具備する請求項１記載の表示装置。
【請求項９】
前記画像出力手段は、複数の映像コンテンツを表示属性情報とともに管理する手段を具備し、前記制御手段は、前記画像出力手段で管理している映像コンテンツの画像について、その表示属性情報をもとに、当該映像コンテンツの画像に含まれる情報を拡大処理して表示出力制御する請求項１記載の表示装置。
【請求項１０】
前記制御手段は、外部からの指示に従い前記拡大表示を解除する手段をさらに具備する請求項１記載の表示装置。
【請求項１１】
前記制御手段は、前記画像出力手段が前記操作器以外の操作手段により操作されたとき、前記拡大表示を解除する請求項１０記載の表示装置。
【請求項１２】
遠隔操作距離に従い、表示画像に含まれる所定の情報を拡大して表示することを特徴とする拡大表示方法。
【請求項１３】
遠隔操作距離に従い、表示画像のデスクトップサイズを変更して、前記表示画像の表示情報を拡大表示することを特徴とする拡大表示方法。
【請求項１４】
前記表示する画像について、前記画像に付随する制御情報をもとに前記画像に含まれる情報を遠隔操作距離に応じて拡大処理して表示出力する請求項１２記載の拡大表示方法。
【請求項１５】
前記表示する画像に含まれる字幕情報を遠隔操作距離に応じて拡大処理する請求項１４記載の拡大表示方法。
【請求項１６】
前記表示する画像に含まれる操作アイコンを遠隔操作距離に応じて拡大処理する請求項１４記載の拡大表示方法。
【発明の詳細な説明】
【０００１】
【発明の属する技術分野】
本発明は、遠隔操作による画像表示制御が可能な情報処理機器、画像表示機器等に適用して好適な表示装置および拡大表示方法に関する。
【０００２】
【従来の技術】
テレビジョン受像器に於いて、表示画像をリモートコントローラのボタン操作で拡大表示制御する技術がある（例えば、特許文献１参照）。
【０００３】
しかしながら、この種の従来技術は、リモートコントローラで操作可能な指示機能の一つとして機能割り付けを行うもので、遠隔操作指示を行う操作ボタン並びに操作の煩雑化を招き、操作性がますます悪くなるという問題が生じる。
【０００４】
【特許文献１】
特開平１０−１４９１５０号公報
【０００５】
【発明が解決しようとする課題】
上述したように従来では、表示画像をリモートコントローラで遠隔操作した場合、操作性に問題があった。
【０００６】
本発明は上記実情に鑑みなされたもので、表示情報の視認性の向上と操作性の向上を図った表示装置および拡大表示方法を提供することを目的とする。
【０００７】
【課題を解決するための手段】
本発明は、画像の表示制御を行う装置と前記装置を遠隔操作する操作器とを具備する表示装置に於いて、前記装置に、前記表示制御する画像に含まれる所定の表示情報を前記操作器との間の距離に応じ拡大処理して表示出力制御する制御手段を具備したことを特徴とする。これにより遠隔操作器の操作性を煩雑にすることなく簡単な操作で遠隔操作位置からの表示情報の視認性の向上が図れる。
【０００８】
【発明の実施の形態】
以下、図面を参照して本発明の実施形態を説明する。
【０００９】
図１には上記した本発明をワイヤレスＡＶ（オーディオ・ビデオ）ステーションに適用したホームネットワークシステムの構成例が示されている。
【００１０】
このホームネットワークシステムは、ワイヤレスＡＶステーション１０１、ＴＶ（テレビジョン）受像機１０２、およびノートブックタイプのパーソナルコンピュータ１０３，１０４、デスクトップタイプのパーソナルコンピュータ１０５等から構成されている。ＴＶ受像機１０２は受信機能（ＴＶチューナ）を持たない、ＣＲＴディスプレイ、ＬＣＤパネル、プラズマディスプレイ等の各種モニタを適用できる。
【００１１】
ワイヤレスＡＶステーション１０１はホームネットワークサーバとして機能する装置であり、例えば赤外線通信手段を用いたリモートコントローラ１０により指示および制御が可能である。この実施形態では、上記リモートコントローラ１０のボタン操作で、リモートコントローラ１０とワイヤレスＡＶステーション１０１との間の距離に応じ、ＴＶ受像機１０２に表示された画面全体、若しくは表示画面内の特定の情報（例えば字幕等の文字情報、操作アイコン等）を拡大表示する機能をもつ。また、ワイヤレスＡＶステーション１０１は、階層化コンテンツ管理によるレジューム再生の処理並びに当該再生データの要求元への送信（配信）処理を行う。ここではリモートコントローラ１０の操作で、オーナー（装置）指定によるレジューム再生、コンテンツタイプの指定によるレジューム再生、コンテンツ指定によるレジューム再生等、階層化コンテンツ管理によるレジューム再生を可能にしている。
【００１２】
この階層化コンテンツ管理の中で、各コンテンツについて、リモートコントローラ１０の指示に従う拡大表示情報が管理される。例えば映画番組のコンテンツに於いて、当該コンテンツが主映像とは別に管理される字幕情報をもつときは、その字幕情報が拡大表示の対象として管理される。また、予め作成したプレゼンテーション番組のコンテンツに於いて、拡大表示を選択的に行いたい情報をもつときは、その情報が拡大表示の対象として管理される（図５参照）。尚、この実施形態では、階層化コンテンツ管理の中で、拡大表示情報が管理されていないコンテンツについては、表示画面全体が拡大表示される。この際の拡大表示は、デスクトップ領域（仮想スクリーン）の中で、表示範囲（表示エリア）を縮小することにより実現される。
【００１３】
さらに、ワイヤレスＡＶステーション１０１は、上記した階層化コンテンツ管理によるレジューム再生での各種コンテンツ提供サービスの他に、ＴＶ等の放送番組データの視聴、およびインターネット閲覧等に関するサービスを、家庭内の無線または有線のネットワークを介してパーソナルコンピュータ１０３〜１０５などの各情報処理装置に提供する。
【００１４】
ワイヤレスＡＶステーション１０１は、例えばＩＳＤＮ（Ｉｎｔｅｇｒａｔｅｄ  Ｓｅｒｖｉｃｅｓ  Ｄｉｇｉｔａｌ  Ｎｅｔｗｏｒｋ）、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＣＡＴＶ（Ｃａｂｌｅ  ＴＶ）などの通信回線１３を介して、インターネット１２などの外部のグローバルネットワーク（外部ネットワーク）に接続されている。さらに、ワイヤレスＡＶステーション１０１は、ホームネットワークを構成する有線または無線のネットワークを介して、家庭内の各種情報処理装置に接続されている。
【００１５】
パーソナルコンピュータ１０３〜１０５の各々は、ワイヤレスＡＶステーション１０１のクライアントとして機能する情報処理装置である。ノートブックタイプのパーソナルコンピュータ１０３，１０４には無線通信デバイスが設けられており、これらノートブックタイプのパーソナルコンピュータ１０３，１０４の各々はワイヤレスＡＶステーション１０１に無線通信ネットワーク（無線ＬＡＮ）を介して接続することができる。さらに、パーソナルコンピュータ１０３，１０４は、有線通信ネットワーク（有線ＬＡＮ）を介してワイヤレスＡＶステーション１０１に接続することもできる。デスクトップタイプのパーソナルコンピュータ１０５は有線通信ネットワーク（有線ＬＡＮ）を介してワイヤレスＡＶステーション１０１に接続されている。
【００１６】
ワイヤレスＡＶステーション１０１は、パーソナルコンピュータ１０３〜１０５それぞれをインターネット１２に接続し、そしてインターネット１２上のＷＥＢサイトとパーソナルコンピュータ１０３〜１０５それぞれとの間のデータの送受信を行う。
【００１７】
屋外に設置されたＴＶ放送受信アンテナ１１１に接続されたアンテナケーブルは屋内に引き込まれている。そのアンテナケーブルにはＴＶ受像機１０２とワイヤレスＡＶステーション１０１とが接続されている。放送局から送信される放送番組データはＴＶ受像機１０２にて受信および再生できる他、ワイヤレスＡＶステーション１０１でも受信することができる。ワイヤレスＡＶステーション１０１は、受信した放送番組データを、無線ＬＡＮまたは有線ＬＡＮを介してパーソナルコンピュータ１０３〜１０５に送信（配信）する。
【００１８】
ワイヤレスＡＶステーション１０１によって提供される主な機能は次の通りである。
【００１９】
・無線ルータ機能：
無線ルータ機能は、無線ＬＡＮを介してワイヤレスＡＶステーション１０１と通信可能な各情報処理装置を、ワイヤレスでインターネット１２に接続し、インターネット１２上のＷＥＢサイトと各情報処理装置との間のデータの送受信を行う機能である。ユーザは、無線ＬＡＮを介してワイヤレスＡＶステーション１０１と接続可能なノートブックタイプのパーソナルコンピュータ１０３または１０４を使用することにより、家庭内のどこからでもワイヤレスでインターネット閲覧を行うことができる。
【００２０】
・ＴＶ機能：
ＴＶ機能は、無線ＬＡＮまたは有線ＬＡＮを介してワイヤレスＡＶステーション１０１に接続された各情報処理装置に対して、ワイヤレスＡＶステーション１０１で受信された放送番組データを送信する機能である。ユーザは、ノートブックタイプのパーソナルコンピュータ１０３または１０４を用いることにより、家庭内のどこからでも現在放送中の放送番組データ（ライブ映像）を視聴することができる。
【００２１】
・ＴＶ録画機能：
ワイヤレスＡＶステーション１０１には、放送番組データを記録するための大容量ストレージデバイスとして磁気ディスクドライブ装置（ハードディスクドライブ；ＨＤＤ）が内蔵されている。ワイヤレスＡＶステーション１０１は、例えば現在放送中の放送番組データを情報処理装置にワイヤレスで送信しながら、その放送番組データを磁気ディスクドライブ装置にファイルとして記録することができる。また、ワイヤレスＡＶステーション１０１は、磁気ディスクドライブ装置に既に記録されている放送番組データ（録画映像）を情報処理装置にワイヤレスで送信しながら、現在放送中の別の放送番組データを受信してそれを磁気ディスクドライブ装置に記録することもでき、磁気ディスクドライブ装置に記録された放送番組データをＴＶ受像機１０２に出力することもできる。また、放送番組データからピックアップした画像を静止画（スチール画像）として、デジタルカメラ映像とともに磁気ディスクドライブ装置に記録し、パーソナルコンピュータ１０３〜１０５に送信（配信）することもできる。
【００２２】
・コンテンツサーバ機能
ワイヤレスＡＶステーション１０１は、各情報処理装置からのデータ取得要求に応じて、磁気ディスクドライブ装置にファイルとして記録された、放送番組データ、ＤＶＤ等の各種映像（動画）を主にしたビデオコンテンツ、音楽番組等のサウンドデータを主にしたオーディオコンテンツ、動画からピックアップした静止画、デジタルカメラ映像等のスチール画像コンテンツ等を要求元の装置に送信（配信）することができる。この際の各種コンテンツのデータ配信は、例えばＭＰＥＧ２、ＭＰ３，ＷＭＡ，ＷＡＶＥ，ＪＰＥＧ等、任意形式のデータ配信が可能である。
【００２３】
・遠隔制御機能：
ワイヤレスＡＶステーション１０１のＴＶ機能・ＴＶ録画機能等は、パーソナルコンピュータ１０３〜１０５のそれぞれから遠隔制御することができる。またワイヤレスＡＶステーション１０１を操作するための専用のリモコンユニット１０を用いて、ワイヤレスＡＶステーション１０１のＴＶ機能・ＴＶ録画機能を制御でき、さらにビデオコンテンツ、オーディオコンテンツ、およびスチール画像コンテンツを対象としたコンテンツサーバ機能を制御することもできる。この際の階層化コンテンツ管理によるレジューム再生でのコンテンツ提供サービスについては後述する。また、リモートコントローラ１０以外に、携帯電話やパーソナルコンピュータからインターネットを通じてワイヤレスＡＶステーション１０１を遠隔制御することもできる。この実施形態では、上記リモートコントローラ１０のボタン操作で、リモートコントローラ１０とワイヤレスＡＶステーション１０１との間の距離に応じ、ＴＶ受像機１０２に表示された画面全体、若しくは表示画面内の特定の情報（例えば字幕等の文字情報、操作アイコン等）を拡大表示する、リモートコントロール機能をもつ。また、階層化コンテンツ管理の中で、拡大表示情報が管理されていないコンテンツについては、表示画面全体が拡大表示される。この際の拡大表示は、デスクトップ領域の中で、表示範囲（表示エリア）を縮小することにより実現される。
【００２４】
・コンテンツ管理・配信機能：
ワイヤレスＡＶステーション１０１は、放送番組データからピックアップした静止画像、ディジタルスチルカメラで撮影した画像等をスチール画像コンテンツとして磁気ディスクドライブ装置に蓄え、ＴＶ受像機１０２、パーソナルコンピュータ１０３〜１０５等に静止画像を配信することもできる。また、ＴＶ機能・ＴＶ録画機能、ビデオディスク画像等をビデオコンテンツとして磁気ディスクドライブ装置に蓄え、ＴＶ受像機１０２、パーソナルコンピュータ１０３〜１０５等に配信できる。さらに、音楽番組、録音データ等のサウンドデータをオーディオコンテンツとして磁気ディスクドライブ装置に蓄え、パーソナルコンピュータ１０３〜１０５に配信できる。
【００２５】
ワイヤレスＡＶステーション１０１は、図２および図３に示されているように、大別して３つコンポーネント、すなわち、チューナ／ＭＰＥＧ部２１、ＣＰＵ部３１、および通信部４１の３つコンポーネントから構成されている。
【００２６】
これらチューナ／ＭＰＥＧ部２１、ＣＰＵ部３１、および通信部４１は、ＰＣＩバスなどのバス２０にそれぞれ接続されている。さらに、バス２０には、磁気ディスクドライブ装置（ハードディスクドライブ；ＨＤＤ）５１も接続されている。
【００２７】
チューナ／ＭＰＥＧ部２１は、放送番組データの受信処理、およびその受信した放送番組データを圧縮符号化するエンコード処理、さらには圧縮符号化されたＴＶ放送番組データを復号するデコード処理などを実行する。
【００２８】
このチューナ／ＭＰＥＧ部２１には、図３に示すように、ＴＶチューナ２１１、ＮＴＳＣ（Ｎａｔｉｏｎａｌ  ＴＶ  Ｓｔａｎｄａｒｄｓ  Ｃｏｍｍｉｔｔｅｅ）デコーダ２１２、音声多重デコーダ２１３、オーディオＡ／Ｄコンバータ（オーディオＡＤＣ）２１４、ＭＰＥＧ２エンコーダ２１５、ＲＡＭ２１６、ＰＣＩバスインターフェース（ＰＣＩ−ＩＦ）２１７、ＭＰＥＧ２デコーダ２１８、ＲＡＭ２１９、オーディオＤ／Ａコンバータ（オーディオＤＡＣ）２２０などが設けられている。
【００２９】
ＣＰＵ部３１は、主メモリ３１３に格納されたコンテンツ制御プログラム（ＣＣＰ）３２１に従い、ＨＤＤ（５１）に記憶されたコンテンツ管理テーブル（ＴＢＬ）を参照して、階層化コンテンツ管理によるレジューム再生処理を実行する。この階層化コンテンツ管理によるレジューム再生処理に於いて、この実施形態では、上記したように、リモートコントローラ１０のボタン操作で、リモートコントローラ１０とワイヤレスＡＶステーション１０１との間の距離に応じ、ＴＶ受像機１０２に表示された画面全体、若しくは表示画面内の特定の情報（例えば字幕等の文字情報、操作アイコン等）を拡大表示する処理、更には、階層化コンテンツ管理の中で拡大表示情報が管理されていないコンテンツについての表示画面全体の拡大処理（デスクトップ領域内での表示範囲の縮小処理）等が実行される。
【００３０】
また、ＣＰＵ部３１は、チューナ／ＭＰＥＧ部２１のＴＶチューナ２１１、ＭＰＥＧ２エンコーダ２１５、およびＭＰＥＧ２デコーダ２１８の制御を行うとともに、ＨＤＤ５１へのデータの書き込みおよびＨＤＤ５１からのデータ読み出しの制御を行う。また、ＣＰＵ部３１は、通信部４１との通信によって、パーソナルコンピュータ１０３〜１０５から送信されるＴＶ視聴等に関するコマンドを受信し、さらにパーソナルコンピュータ１０３〜１０５に、放送番組、録画番組等、送信すべき各種番組データのＭＰＥＧ２ストリームを通信部４１に送信する処理等を行う。
【００３１】
ＣＰＵ部３１は、図２に示すように、ＣＰＵ３１１と、ＣＰＵ３１１のＣＰＵバスとＰＣＩバス２０とを接続するバスブリッジ３１２と、主メモリ３１３とから構成されている。
【００３２】
主メモリ３１３には、オペレーティングシステム（ＯＳ）、およびワイヤレスＡＶステーション機能を実現する各種のアプリケーションプログラムが格納される。この実施形態に於いては、階層化コンテンツ管理によるレジューム再生処理を実現するコンテンツ制御プログラム（ＣＣＰ）３２１、およびコンテンツ管理テーブル（ＴＢＬ）が格納される。このコンテンツ制御プログラム（ＣＣＰ）３２１は、リモートコントローラ１０、またはパーソナルコンピュータ１０３〜１０５等からレジューム再生の指示を受けることにより、ＣＰＵ３１１により実行される。ここで用いられるコンテンツ管理テーブル（ＴＢＬ）の一構成例を図５に示している。また、この際のコンテンツ制御プログラムに３２１に従う処理の中で、リモートコントローラ１０から拡大表示のボタン操作に（この実施形態では図５に示す「拡大表示」ボタン７４の操作）伴う指示があった際の処理の手順が図６に示されている。
【００３３】
通信部４１は、それ単独で無線ＬＡＮルータとして動作可能な通信制御装置である。通信部４１は、パーソナルコンピュータ１０３，１０４に無線接続可能に構成されており、また有線ＬＡＮを介してパーソナルコンピュータ１０５にも接続されている。通信部４１は、パーソナルコンピュータ１０３〜１０５の各々から送信される要求に応じて、それらパーソナルコンピュータ１０３〜１０５それぞれをインターネット１２に接続し、そしてパーソナルコンピュータ１０３〜１０５それぞれとインターネット１２との間のデータの送受信を行う。
【００３４】
通信部４１には、図３に示すように、制御プロセッサ４１１、ＲＡＭ４１２、ＲＯＭ４１３、ネットワークコントローラ４１４、２つのワイヤレスＬＡＮデバイス４１５，４１７、ＷＡＮコネクタ５０１、およびＬＡＮコネクタ５０２などが設けられている。
【００３５】
ＷＡＮ（Ｗｉｄｅ  Ａｒｅａ  Ｎｅｔｗｏｒｋ）コネクタ５０１はインターネット１２との間のデータの送受信に用いられるブロードバンド用端子であり、コネクタ５０１は例えばモデム等を介して通信回線１３に接続される。ＬＡＮコネクタ５０２は家庭内の有線ＬＡＮに接続される。ネットワークコントローラ４１４は、ＷＡＮコネクタ５０１を介したインターネット１２との間のデータの送受信、およびＬＡＮコネクタ５０２を介した家庭内有線ＬＡＮとの間のデータの送受信、を制御するネットワーク制御デバイスである。ワイヤレスＬＡＮデバイス４１５，４１７の各々は、無線ＬＡＮを介してパーソナルコンピュータ１０３，１０４との間のデータの送受信を行う無線通信デバイスであり、対応するアンテナ４１６，４１７を介してパーソナルコンピュータ１０３，１０４それぞれと無線通信する。ワイヤレスＬＡＮデバイス４１５はＩＥＥＥ８０２．１１ｂ規格に準拠した無線通信を実行するように構成されており、またワイヤレスＬＡＮデバイス４１７はＩＥＥＥ８０２．１１ａ規格に準拠した無線通信を実行するように構成されている。制御プロセッサ４１１は、ネットワークコントローラ４１４およびワイヤレスＬＡＮデバイス４１５，４１７を制御することにより、パーソナルコンピュータ１０３〜１０５それぞれとインターネット１２との間のデータの送受信を制御する。
【００３６】
さらに、ワイヤレスＡＶステーション１０１には、カードコントローラ６１およびカードスロット６２、ＥＣ／ＫＢＣ６３、リモートコントローラインタフェース（リモコンＩ／Ｆ）６４、動作ステータス表示器（ＶＦＤパネル）６５などが設けられている。カードコントローラ６１は、ワイヤレスＡＶステーション１０１に設けられたカードスロット６２に装着されたメモリカードに対するアクセスを制御する。カードコントローラ６１は、メモリカードに記憶された静止画データやオーディオデータを読み取り、それをＨＤＤ５１に記録する等に用いられる。
【００３７】
ＥＣ／ＫＢＣ６３およびリモートコントローラインタフェース６４は、リモートコントローラ１０から赤外線信号等によって送信されるリモコンコードを受信するために用いられる。受信されたリモコンコードは、バス２０を介してＣＰＵ部３１に送られる。この実施形態では、リモートコントローラ１０から拡大表示のボタン操作に伴う指示があった際に、ＥＣ／ＫＢＣ６３からＣＰＵ部３１に、拡大指示コマンドが送出される。ＣＰＵ部３１はこの拡大指示コマンドを受けると、図６に示すような拡大表示処理を実行する。
【００３８】
ＨＤＤ５１は、放送番組データ、静止画データ、オーディオデータ等のさまざまなコンテンツを記録するために用いられる。この実施形態では、放送番組データ、ＤＶＤ等の各種映像（動画）を主にしたビデオコンテンツ、音楽番組等のサウンドデータを主にしたオーディオコンテンツ、動画からピックアップした静止画、デジタルカメラ映像等のスチール画像コンテンツ等、各種の再生用コンテンツと、これら各コンテンツの上記各階層でのレジューム再生を可能にするためのコンテンツ管理テーブル（ＴＢＬ）が記憶される。このコンテンツ管理テーブル（ＴＢＬ）はコンテンツ制御プログラム（ＣＣＰ）３２１の実行時に於いて参照される。また、このコンテンツ管理テーブル（ＴＢＬ）は、利用者（リモートコントローラ１０の所有者）の指示に従うＣＰＵ３１１の制御により任意の階層（オーナー層／コンテンツタイプ層／タイトル層）で登録並びに書き換え（更新）が可能である。このコンテンツ管理テーブル（ＴＢＬ）上で各コンテンツを単位に拡大表示情報の定義が可能である（図５参照）。
【００３９】
ＣＰＵ３１１は、ＨＤＤ５１に記録されたコンテンツをコンテンツデータベースとして管理する。コンテンツデータベースには、ＨＤＤ５１に記録されたコンテンツデータ毎に、例えば番組タイトル名、チャネル番号、曲名、ジャンル、アーティスト名等の付帯情報が記憶されている。ＣＰＵ３１１は、情報処理装置またはリモートコントローラ１０から送信されるコマンドに応じて、コンテンツデータベースの内容をＴＶ受像機１０２の画面上または情報処理装置にコンテンツ一覧メニューとして提供する。ユーザは、コンテンツ一覧メニューを参照しながら希望するコンテンツデータを選択することができる。
【００４０】
図４には上記リモートコントローラ１０のボタン配置例が示されている。このリモートコントローラ１０に設けられた「拡大表示」ボタン７４を操作することで、このボタン操作に伴う指示コマンドがリモートコントローラ１０からリモートコントローラインタフェース６４に受け付けられＥＣ／ＫＢＣ６３を介してＣＰＵ３１１に通知される。ＣＰＵ部３１はこの拡大指示コマンドを受けると、図６に示すような拡大表示処理を実行する。
【００４１】
また、リモートコントローラ１０には、「ビデオ」ボタン７１、「音楽」ボタン７２、「写真」ボタン７３、「決定」ボタン７５、「一時停止」ボタン７６、「停止」ボタン７７、数値入力キー等も設けられる。「ビデオ」ボタン７１、「音楽」ボタン７２、「写真」ボタン７３が操作されると、そのボタン操作に伴う再生指示コマンドがリモートコントローラ１０からリモートコントローラインタフェース６４に受け付けられ、そのコマンドに従うコンテンツの再生が可能となる。「ビデオ」ボタン７１、「写真」ボタン７３等の画像を含むコンテンツの再生表示状態下に於いて、上記「拡大表示」ボタン７４が操作されると、その操作指示コマンドをＣＰＵ部３１が受け、コンテンツ管理テーブル（ＴＢＬ）の定義内容に従い図６に示すような拡大表示処理が実行される。
【００４２】
このリモートコントローラ１０とリモートコントローラインタフェース６４には、その相互の間、即ちＴＶモニタ１０２を備えたワイヤレスＡＶステーション１０１と当該ワイヤレスＡＶステーション１０１を遠隔操作するリモートコントローラ１０との間の距離を計測するための計測手段が設けられる。この計測手段の一例としては、リモートコントローラ１０とリモートコントローラインタフェース６４との間で時刻確認を行う高速クロック周波数を用いた時刻計時回路を設けることで実現される。この際は、リモートコントローラ１０が「拡大表示」ボタン７４の操作に伴い、リモートコントローラインタフェース６４に、時刻を予告する時刻データ送付し、その予告した時刻に、時刻通知データを送付する。リモートコントローラインタフェース６４が受けた予告時刻データとその時刻通知データはＥＣ／ＫＢＣ６３を介してＣＰＵ部３１のＣＰＵ３１１に通知する。ＣＰＵ３１１はこの予告時刻データとその時刻通知データを比較し、その時刻差（パルス差）からリモートコントローラ１０との間の距離を認識し、その認識した距離をもとに図６に示すような拡大表示処理を実行する。
【００４３】
このリモートコントローラ１０との間の距離の確認手段は上記した例に限るものではなく、例えば、ワイヤレスＡＶステーション１０１からリモートコントローラ１０の操作者が一定距離以上、離れて操作しているか否かを例えば赤外線センサー等の出力で判定し、その判定出力もとに、ＣＰＵ３１１がリモートコントローラ１０に設けられた「拡大表示」ボタン７４の操作に伴う図６に示す拡大表示処理を実行するか否かを判断する構成であってもよい。
【００４４】
図５には上記コンテンツ管理テーブル（ＴＢＬ）の一構成例が示されている。ここでは、一例として、オーディオ（Ａｕｄｉｏ）、ビデオ（Ｖｅｄｉｏ）、スチール（Ｓｔｉｌｌ）の各コンテンツタイプを想定し、複数（１〜ｎ）のオーナーを対象に、３種のコンテンツタイプＡ〜Ｃをそれぞれ階層化して管理する場合のコンテンツ管理構造を示している。
【００４５】
このコンテンツ管理テーブル（ＴＢＬ）上で、各コンテンツについて、拡大表示情報が管理される。例えば映画番組のコンテンツに於いて、当該コンテンツが主映像とは別に管理される字幕情報をもつときは、その字幕情報が拡大表示の対象として管理される。また、予め作成したプレゼンテーション番組のコンテンツに於いて、拡大表示を選択的に行いたい情報をもつときは、その情報が拡大表示の対象として管理される。尚、この実施形態では、コンテンツ管理テーブル（ＴＢＬ）上で拡大表示情報が管理されていないコンテンツについては、表示画面全体が拡大表示される。この際の拡大表示は、デスクトップ領域（仮想スクリーン）の中で、表示範囲（表示エリア）を縮小することにより実現される。
【００４６】
図６には、上記コンテンツ制御プログラムに３２１に従う処理の中で、上記リモートコントローラ１０の「拡大表示」ボタン７４が操作された際に、ＣＰＵ３１１により実行される拡大表示処理の手順が示されている。
【００４７】
ここで、上記各図を参照して本発明の実施形態に於ける動作を説明する。尚、ここでは、レジューム再生およびそのコンテンツ管理の詳細について、その動作の詳細を省略する。
【００４８】
ワイヤレスＡＶステーション１０１の制御の下にＴＶ受像機１０２に、例えば、コンテンツ管理テーブル（ＴＢＬ）上で拡大表示情報として字幕が定義されている、字幕付き映画番組（動画コンテンツ）が再生表示されているものとする。この番組再生中に於いて、リモートコントローラ１０の「拡大表示」ボタン７４が操作されると、そのボタン操作に伴う拡大指示コマンドが、ＥＣ／ＫＢＣ６３を介してＣＰＵ部３１に通知される。
【００４９】
ＣＰＵ部３１はこの拡大指示コマンドを受けると、図６に示すような拡大表示処理を実行する。
【００５０】
ここでは、先ず主メモリ３１３に格納されたコンテンツ管理テーブル（ＴＢＬ）を参照して、現在ＴＶ受像機１０２に表示しているコンテンツに拡大表示する情報が定義されているか否かを判断し、拡大表示する情報が定義されていれば、その該当する情報を拡大表示する。ここでは、現在表示されている字幕付き映画番組について、字幕の拡大表示が定義されていれば（図６ステップＳ１１）、字幕をリモートコントローラ１０との距離に応じて拡大処理して表示する（図６ステップＳ１２〜Ｓ１５）。この際のリモートコントローラ１０との間の距離の計測処理（図６ステップＳ１３）については、既に述べているので、ここでは、その説明を省略する。また、この際の拡大処理（図６ステップＳ１４）について、ここでは字幕のフォントサイズを取得し（図６ステップＳ１２）、その取得したフォントサイズをもとに上記距離に応じて拡大処理を行っているが、これに限らず、例えば字幕の表示領域全体を縦方向、横方向、縦横方向等にビットマップ上で拡大する等、他の任意の拡大処理であってよい。
【００５１】
また、上記上記リモートコントローラ１０の「拡大表示」ボタン７４が操作された際、ＴＶ受像機１０２に表示されているコンテンツが、コンテンツ管理テーブル（ＴＢＬ）上で、例えば操作アイコン等、他の拡大表示の情報が定義されている場合は、当該定義に従う表示情報をリモートコントローラ１０との距離に応じて拡大する処理が行われる（図６ステップＳ２２）。
【００５２】
また、上記上記リモートコントローラ１０の「拡大表示」ボタン７４が操作された際、ＴＶ受像機１０２に表示されているコンテンツが、コンテンツ管理テーブル（ＴＢＬ）上で拡大表示の情報が定義されていない、例えばプレゼンテーション番組であったとすると（図６ステップＳ２１  Ｎｏ）、そのプレゼンテーション画像の表示範囲を含むデスクトップ領域の中で、表示範囲（表示エリア）を縮小することにより、プレゼンテーション画像の表示情報全体をリモートコントローラ１０との距離に応じて拡大する処理が行われる（図６ステップＳ２３）。
【００５３】
上記したように、リモートコントローラ１０の「拡大表示」ボタン７４を操作して、コンテンツ再生画像の拡大表示が行われている際に、そのコンテンツの再生が解除されると、若しくはそのコンテンツの再生が終了すると（図６ステップＳ１６  Ｙｅｓ）、その拡大表示の処理を終了する（図６ステップＳ１７）。尚、この際の拡大表示の解除は、上記した以外に、例えばＴＶ受像機１０２に設けられたキー、ボタン等の操作時に解除してもよい。
【００５４】
このように、リモートコントローラ１０の「拡大表示」ボタン７４を操作することで、その操作位置とワイヤレスＡＶステーション１０１との間の距離に応じて、表示情報を拡大表示できるとから、遠隔操作器の操作性を煩雑にすることなく簡単な操作で遠隔操作位置からの表示情報の視認性を向上できる。
【００５５】
【発明の効果】
以上詳記したように本発明によれば、表示情報の視認性の向上と操作性の向上が図れる。
【図面の簡単な説明】
【図１】本発明の実施形態に係るコンテンツ配信装置を構成するワイヤレスＡＶステーションを備えたホームネットワークシステムの構成を示す図。
【図２】上記図１に示すホームネットワークシステムに設けられたサーバ（ワイヤレスＡＶステーション）の構成を示すブロック図。
【図３】上記図１に示すホームネットワークシステムに設けられたサーバ（ワイヤレスＡＶステーション）の構成を示すブロック図。
【図４】上記実施形態に於けるリモートコントローラのボタン配置例を示す図。
【図５】上記実施形態に於けるコンテンツ管理テーブル（ＴＢＬ）の構成を示す図。
【図６】上記実施形態に於ける拡大表示処理の手順を示すフローチャート。
【符号の説明】
１０…リモートコントローラ、１１…ＴＶ放送受信アンテナ、１２…インターネット、２０…バス、２１…チューナ／ＭＰＥＧ部、３１…ＣＰＵ部、４１…通信部、５１…磁気ディスクドライブ装置（ＨＤＤ）、６３…ＥＣ／ＫＢＣ、６４…リモートコントローラインタフェース（リモコンＩ／Ｆ）、７４…拡大表示ボタン、１０１…ワイヤレスＡＶステーション（サーバ）、１０２…ＴＶ（テレビジョン）受像機、１０３〜１０５…パーソナルコンピュータ、３２１…コンテンツ制御プログラム（ＣＣＰ）、ＴＢＬ…コンテンツ管理テーブル。
【図１】
2004233874.tif 000003
【図２】
2004233874.tif 000004
【図３】
2004233874.tif 000005
【図４】
2004233874.tif 000006
【図５】
2004233874.tif 000007
【図６】
2004233874.tif 000008
【手続補正書】
【提出日】平成15年2月14日(2003.2.14)
【手続補正１】
【補正対象書類名】明細書
【補正対象項目名】特許請求の範囲
【補正方法】変更
【補正の内容】
【特許請求の範囲】
【請求項１】
操作器により遠隔操作可能な画像出力手段と、
前記画像出力手段により表示出力された画像に含まれる所定の表示情報を前記操作器との間の距離に応じ拡大処理して表示出力する制御手段と
を具備したことを特徴とする表示装置。
【請求項２】
前記制御手段は、前記操作器から所定の操作信号を受けた際に、前記操作器との間の距離を計測する操作距離計測手段を具備し、前記操作距離計測手段で計測した距離に応じ、前記表示制御する画像に含まれる所定の表示情報を拡大処理して表示出力制御する請求項１記載の表示装置。
【請求項３】
前記制御手段は、前記操作器から所定の操作信号を受けた際に、前記操作器若しくは前記操作器を操作する操作者との間の距離が設定距離を超えたことを判定する操作距離判定手段を具備し、前記操作距離判定手段の判定出力をもとに、前記表示制御する画像に含まれる所定の表示情報を拡大処理して表示出力制御する請求項１記載の表示装置。
【請求項４】
前記制御手段は、前記表示制御する画像について、前記画像に付随する制御情報をもとに前記画像に含まれる情報を拡大処理して表示出力制御する表示制御手段を具備する請求項１記載の表示装置。
【請求項５】
前記制御手段は、前記表示制御する画像について、デスクトップサイズを変更し、前記画像の表示情報すべてを拡大処理して表示出力制御する表示制御手段を具備する請求項１記載の表示装置。
【請求項６】
前記制御手段は、前記表示制御する画像について、当該画像に含まれる文字情報を拡大処理して表示出力制御する表示制御手段を具備する請求項１記載の表示装置。
【請求項７】
前記制御手段は、前記表示制御する画像について、当該画像に含まれる字幕情報を拡大処理して表示出力制御する表示制御手段を具備する請求項１記載の表示装置。
【請求項８】
前記制御手段は、前記表示制御する画像について、当該画像に含まれる操作アイコンを拡大処理して表示出力制御する表示制御手段を具備する請求項１記載の表示装置。
【請求項９】
前記画像出力手段は、複数の映像コンテンツを表示属性情報とともに管理する手段を具備し、前記制御手段は、前記画像出力手段で管理している映像コンテンツの画像について、その表示属性情報をもとに、当該映像コンテンツの画像に含まれる情報を拡大処理して表示出力制御する請求項１記載の表示装置。
【請求項１０】
前記制御手段は、外部からの指示に従い前記拡大表示を解除する手段をさらに具備する請求項１記載の表示装置。
【請求項１１】
前記制御手段は、前記画像出力手段が前記操作器以外の操作手段により操作されたとき、前記拡大表示を解除する請求項１０記載の表示装置。
【請求項１２】
遠隔操作距離に従い、表示画像に含まれる所定の情報を拡大して表示することを特徴とする拡大表示方法。
【請求項１３】
遠隔操作距離に従い、表示画像のデスクトップサイズを変更して、前記表示画像の表示情報を拡大表示することを特徴とする拡大表示方法。
【請求項１４】
前記表示する画像について、前記画像に付随する制御情報をもとに前記画像に含まれる情報を遠隔操作距離に応じて拡大処理して表示出力する請求項１２記載の拡大表示方法。
【請求項１５】
前記表示する画像に含まれる字幕情報を遠隔操作距離に応じて拡大処理する請求項１４記載の拡大表示方法。
【請求項１６】
前記表示する画像に含まれる操作アイコンを遠隔操作距離に応じて拡大処理する請求項１４記載の拡大表示方法。